(57)【要約】【課題】子局に割り当てられる識別情報を管理担当者が子局設置場所へ出向くことなく簡単かつ確実に変更できるようにし、これにより変更作業の効率を大幅に高める。【解決手段】戸別受信機ＧＳ１〜ＧＳｎに複数のスイッチＳＷ１〜ＳＷｋを有するＩＤ設定スイッチユニット１７を設けると共に、上記スイッチＳＷ１〜ＳＷｋの各々に対応付けて異なる子局ＩＤ候補ＩＤ１〜ＩＤｋを記憶したＩＤ設定テーブル１４ａを設ける。そして、ＩＤ変更モードにおいて上記スイッチＳＷ１〜ＳＷｋのいずれかが操作された場合に、この操作されたスイッチに対応する子局ＩＤ候補のフラグを「有効」（ＯＮ）とし、それまで「有効」（ＯＮ）に設定されていたフラグを「無効」（ＯＦＦ）にする。【選択図】      図２
2006074470.tif 000002
【特許請求の範囲】
【請求項１】
親局と、各々が呼出のための識別情報を保持する複数の子局とを備え、親局から子局に対し前記識別情報を含む呼出信号及び放送信号を送信し、子局は自己の識別情報を含む呼出信号を受信した場合に引き続き放送信号を受信するディジタル同報通信システムで前記子局として使用される通信装置であって、
操作可能な複数のスイッチと、
前記複数のスイッチの各々に対応付けて、異なる複数の識別情報候補を記憶する記憶部と、
前記スイッチの選択操作に応じ、当該選択操作されたスイッチに対応する識別情報候補を自己の識別情報として設定する制御手段と
を具備することを特徴とする通信装置。
【請求項２】
前記親局が識別情報候補の送信機能を備える場合に、
前記親局から送信された識別情報候補を受信し、この受信された識別情報候補を前記複数のスイッチの各々に対応付けて前記記憶部に記憶する手段を、さらに具備することを特徴とする請求項１記載の通信装置。
【発明の詳細な説明】
【技術分野】
【０００１】
この発明は、例えば市町村ごとに防災行政用として設置されるディジタル同報通信システムに係わり、特に当該システムで子局として使用される通信装置に関する。
【背景技術】
【０００２】
防災行政用のディジタル同報通信システムは一般に、親局と複数の子局、或いはそれに中継局を加えることにより構成される。親局は、例えば市町村庁舎に設置され、子局に向け通報信号を送信する。中継局は山上等の見通しの良好な場所に設置され、上記親局から送信された中継波を同報波に周波数変換して子局に向け送信する。各子局は、上記親局から送信された通報信号を受信し、受信された通報内容をスピーカから拡声出力することにより住民に知らせる。子局には屋外型と戸別型とがあり、屋外型は親局との間で双方向通信が可能である。これに対し戸別型は受信のみ可能である（例えば、非特許文献１を参照）。
【０００３】
ところでこの種のシステムは、子局の選択呼出を可能にするために各子局に識別番号（子局ＩＤ）を割り当てている。そして、特定の子局又は子局グループを呼び出す場合に親局は、呼出信号に呼出対象の子局のＩＤを含めて送信する。これに対し子局は、呼出信号を受信するとこの呼出信号に含まれる子局ＩＤを自己が保持する子局ＩＤと照合し、両子局ＩＤが一致した場合に、続いて親局から送信される通報信号を受信して通報内容を出力する。このように構成することで、例えば地域ごとに子局群を呼び出してその地域特有の通報を行ったり、戸別型の子局を選択的に呼び出すことで特定の役職に就いている住民や消防団に所属する住民を選択的に呼び出すことが可能となる。
【０００４】
【非特許文献１】「市町村デジタル同報通信システム推奨規格（案）」社団法人電波産業界  平成１５年３月。
【発明の開示】
【発明が解決しようとする課題】
【０００５】
ところが、子局に割り当てられたＩＤは子局内に設けられた記憶部に固定的に記憶される。このため、例えば住民の役職変更や消防団等への入退団に伴い子局のＩＤを変更する必要が生じた場合に、従来では変更対象の各子局の設置場所へシステム管理者が出向き、子局にパーソナル・コンピュータを接続して記憶部内の子局ＩＤを書き換える必要がある。このため、システム管理者の作業負担が大きく、また該当するすべての子局についてＩＤの変更を終了するまでに多くの時間がかかるという問題点があった。
【０００６】
特に、近年活発に実施または検討されている市町村合併に伴うシステム変更に際しては、一度に多くの子局のＩＤ変更が必要となる場合がある。このような場合、ＩＤ変更作業に多くの人手と手間を要し、また変更終了までに多くの時間がかかるため、その間システムの信頼性の低下を招き非常に好ましくない。
【０００７】
この発明は上記事情に着目してなされたもので、その目的とするところは、子局に割り当てられる識別情報を管理担当者が子局設置場所へ出向くことなく簡単かつ確実に変更できるようにし、これにより変更作業の効率を大幅に高め得るディジタル同報通信システムの通信装置を提供することにある。
【課題を解決するための手段】
【０００８】
上記目的を達成するためにこの発明は、親局と、各々が呼出のための識別情報を保持する複数の子局とを備え、親局から子局に対し上記識別情報を含む呼出信号及び放送信号を送信し、子局は自己の識別情報を含む呼出信号を受信した場合に引き続き放送信号を受信するディジタル同報通信システムで上記子局として使用される通信装置にあって、操作可能な複数のスイッチと、これら複数のスイッチの各々に対応付けて異なる複数の識別情報候補を記憶する記憶部と、変更制御手段とを備える。そして、変更制御手段により、上記スイッチの選択操作に応じて、当該選択操作されたスイッチに対応する識別情報候補を自己の識別情報として設定するようにしたものである。
【０００９】
したがってこの発明によれば、ある子局において識別情報の変更が必要となった場合に、例えば当該子局において所有者または管理者が新たに設定すべき識別情報候補に対応するスイッチを操作するだけで、識別情報の更新がなされる。このため、システム管理者が逐一子局設置場所へ出向く必要はなくなり、これによりシステム管理者の作業負担は大幅に軽減され、かつ変更に要する時間も短縮される。また、スイッチを操作するだけで変更を行えるので、通信装置の取り扱いに不慣れな子局所有者或いは管理者であっても操作を誤ることなく簡単かつ確実に変更することができる。
【００１０】
近年、全国で市町村合併が活発に実施または検討されている。市町村合併が行われると、それに伴いディジタル同報通信システムについてもシステム統合や変更が行われ、一度に多数の子局のＩＤ変更が必要となる。しかしながらこの発明によれば、システム管理者から該当する子局の所有者または管理者に対し変更を指示し、この指示に従い子局の所有者または管理者がスイッチを操作するだけで識別情報が新たな情報に変更される。このため、大掛かりなシステム変更を簡単かつ短時間に完了することが可能となり、これによりシステム管理者側の負担軽減は勿論のこと、変更作業期間の短縮によりシステムの信頼性を高く保持することができる。
【００１１】
またこの発明は、親局が識別情報候補の送信機能を備える場合に、識別情報候補の設定制御手段をさらに備える。そして、親局から送信された識別情報候補を受信して、この受信された識別情報候補を上記複数のスイッチの各々に対応付けて記憶部に記憶することも特徴とする。  
このような手段を備えることで、識別情報候補それ自体を変更する必要が生じた場合でも、システム管理者が子局の設置場所に出向くことなく識別情報候補の変更設定が可能となり、これにより変更作業の効率を高めることができる。
【発明の効果】
【００１２】
要するにこの発明によれば、操作可能な複数のスイッチの各々に対応付けて異なる複数の識別情報候補を記憶部に記憶しておき、上記スイッチの選択操作に応じて当該選択操作されたスイッチに対応する識別情報候補を自己の識別情報として設定するようにしたことによって、子局に割り当てられる識別情報を管理担当者が子局設置場所へ出向くことなく簡単かつ確実に変更することができるようになり、これにより変更作業の効率を大幅に高め得るディジタル同報通信システムの通信装置を提供することができる。
【発明を実施するための最良の形態】
【００１３】
以下、この発明に係わる通信装置の実施形態を図面を参照して説明する。  
図１は、この発明に係わるディジタル同報通信システムの一実施形態を示す概略構成図である。この実施形態のシステムは、親局ＢＳと、中継局ＲＳと、複数の子局とを備え、親局ＢＳと各子局との間で直接或いは中継局ＲＳを介して双方向又は単方向の無線通信を行う。無線通信方式としては、ＴＤＭＡ−ＴＤＤ（Time Division Multiple Access−Time Division Duplex）方式が使用される。
【００１４】
親局ＢＳは、例えば市町村役場等に設置されるもので、操作卓１と無線装置２とを備える。操作卓１は、オペレータが所望の子局に対し通報を行う際の呼出指示及び通報音声の入力を受け付ける入力インタフェース機能と、子局から到来する通話信号をシステムオペレータに対し通話レベルで出力する出力インタフェース機能とを備える。無線装置２は、上記操作卓１から出力された呼出信号及び通報信号により変調された下り無線信号を生成し、この生成された下り無線信号を送信する。また、子局から到来した上り無線信号を受信して復調し、この復調により再生された通話信号を操作卓１へ転送して通話レベルで出力させる。なお、上記下り無線信号を子局に対し直接送信する場合には同報波を、また中継局ＲＳを介して送信する場合には同報波とは周波数が異なる中継波を使用する。
【００１５】
中継局ＲＳは、山上等の見通しの良好な場所に設置されるもので、第１及び第２の中継無線装置３，４を備える。第１の中継無線装置３は、上記親局ＢＳの無線装置２から中継波により送信された下り無線信号を受信し、受信された下り無線信号を第２の中継無線装置４に渡す。第２の中継無線装置４は、上記第１の中継無線装置３から渡された下り無線信号を同報波の周波数に周波数変換し、この周波数変換された下り無線信号を子局へ送信する。
【００１６】
子局には、屋外型の通信装置ＦＳ１〜ＦＳｍと、屋内型の通信装置ＧＳ１〜ＧＳｎとがある。屋外型の通信装置ＦＳ１〜ＦＳｍは例えば学校の校庭等に設置されるもので、双方向無線装置５と拡声装置６とを備えている。双方向無線装置５は、親局ＢＳから到来した下り無線信号を復調し、この復調により再生された通報信号を拡声装置６に供給する。拡声装置６は、上記供給された通報信号を近隣の住民に向け拡声出力する。また双方向無線装置５は、図示しない送話部により入力された通話信号を変調して上り無線信号を生成し、この生成された上り無線信号を親局ＢＳに向け送信する機能も備える。
【００１７】
一方、屋内型の通信装置ＧＳ１〜ＧＳｎは受信機能のみを備えたもので、住民の各住居に設置される。以後この屋内型の通信装置を戸別受信機と呼称する。図２は、この戸別受信機ＧＳ１〜ＧＳｎの機能構成を示すブロック図である。  
戸別受信機ＧＳ１〜ＧＳｎは、アンテナ１１を備えた受信回路（Ｒｘ）１２と、制御部１３と、記憶部１４と、スピーカ駆動回路１５と、スピーカ１６とを備えている。受信回路１２は、親局ＢＳまたは中継局ＲＳから同報波により到来する下り無線信号を受信復調し、この復調により再生される呼出信号及び通報信号のディジタルデータを制御部１３に与える。スピーカ駆動回路１５は、通報信号を増幅してスピーカ１６から出力する。
【００１８】
ところで、この実施形態の戸別受信機ＧＳ１〜ＧＳｎは、ＩＤ設定スイッチユニット１７と、モード設定スイッチ１８とをさらに備えている。ＩＤ設定スイッチユニット１７は複数のスイッチＳＷ１〜ＳＷｋを有する。これらのスイッチＳＷ１〜ＳＷｋは、住民が戸別受信機ＧＳ１〜ＧＳｎの子局識別情報（子局ＩＤ）を変更設定する際に操作するもので、例えば押しボタンスイッチまたはディップスイッチにより構成される。モード設定スイッチ１８は、戸別受信機ＧＳ１〜ＧＳｎの制御モードを、一時的に通常制御モードからＩＤ変更制御モードに切り替える際に使用するものである。
【００１９】
記憶部１４には、ＩＤ設定テーブル１４ａが設けられている。このＩＤ設定テーブル１４ａには、上記ＩＤ設定スイッチユニット１７を構成する各スイッチＳＷ１〜ＳＷｋに対応付けて、異なる複数の子局ＩＤ候補と、当該子局ＩＤ候補が有効であるか無効であるかを表すフラグが記憶される。このフラグが「有効」に設定された子局ＩＤ候補がこの戸別受信機の子局ＩＤとして使用される。図３は、このＩＤ設定テーブル１４ａの記憶データの一例を示すものである。
【００２０】
制御部１３は、例えばマイクロコンピュータを備えたもので、この発明に係わる制御機能として、呼出判定機能１３ａと、通報受信出力制御機能１３ｂと、第１のＩＤ変更制御機能１３ｃと、第２のＩＤ変更制御機能１３ｄと、認証機能１３ｅとを備える。なお、これらの制御機能はいずれも、図示しないプログラムメモリに格納されたアプリケーション・プログラムをＣＰＵ（Central Processing Unit）に実行させることにより実現される。
【００２１】
呼出判定機能１３ａは、通常制御モードにおいて親局ＢＳから到来した呼出信号からＩＤを抽出し、抽出されたＩＤを上記ＩＤ設定テーブル１４ａに記憶設定されている自局の子局ＩＤと照合する。そして、両子局ＩＤが一致した場合に受信機を通報信号の受信モードに設定する。
【００２２】
通報受信出力制御機能１３ｂは、上記呼出判定機能１３ａにより通報信号受信モードが設定された場合に、親局ＢＳから到来する通報信号を受信し再生する。再生処理では、例えば誤り訂正復号処理及び音声復号処理が行われる。そして、上記再生されたアナログの通報信号をスピーカ駆動回路１５に供給し、これによりスピーカ１６から通話レベルで出力させる。
【００２３】
第１のＩＤ変更制御機能１３ｃは、モード設定スイッチ１８によりＩＤ変更モードが設定された状態で、上記ＩＤ設定スイッチユニット１７の各スイッチＳＷ１〜ＳＷｋの操作を監視する。そして、スイッチＳＷ１〜ＳＷｋのいずれかが操作された場合に、当該操作されたスイッチに対応する子局ＩＤ候補のフラグを「有効」（ＯＮ）とし、それまで「有効」（ＯＮ）に設定されていたフラグを「無効」（ＯＦＦ）とする。
【００２４】
第２のＩＤ変更制御機能１３ｄは、モード設定スイッチ１８によりＩＤ変更モードが設定された状態で、親局ＢＳから子局ＩＤ候補の変更要求が到来した場合に、当該変更要求に続いて親局ＢＳから到来する変更データを受信する。そして、受信された変更データに従い、上記ＩＤ設定テーブル１４ａに記憶されている子局ＩＤ候補を書き換える。
【００２５】
認証機能１３ｅは、上記モード設定スイッチ１８によりＩＤ変更モードが設定されたとき、上記第１のＩＤ変更制御機能１３ｃの実行に先立ち、認証モードを設定する。そして、上記ＩＤ設定スイッチユニット１７の各スイッチＳＷ１〜ＳＷｋの組み合わせ操作パターン（入力認証コード）を予め設定されている基本操作パターン（基本認証コード）と照合し、両操作パターンが一致した場合に上記第１のＩＤ変更制御機能１３ｃの制御に移行する。
【００２６】
次に、以上のように構成された戸別受信機ＧＳ１〜ＧＳｎの動作を説明する。図４は制御部１３の制御手順と制御内容を示すフローチャートである。  
制御部１３は、ステップ４ａにおいてＩＤ変更モードの設定の有無を監視する。そしてＩＤ変更モードが設定されなければ、上記呼出判定機能１３ａ及び通報受信出力制御機能１３ｂによる通常の制御動作を実行する。
【００２７】
これに対し子局ＩＤを変更するために、戸別受信機ＧＳ１〜ＧＳｎの所有者がモード設定スイッチ１８を操作したとする。そうすると制御部１３はステップ４ｂに移行し、ここでＩＤ設定スイッチユニット１７の各スイッチＳＷ１〜ＳＷｋが操作されたか、或いは親局ＢＳから子局ＩＤ候補の変更要求が到来したかを判定する。
【００２８】
この判定の結果、親局ＢＳから子局ＩＤ候補の変更要求が到来したとすると、制御部１３はステップ４ｃに移行してここで変更データを受信する。この変更データは、変更対象の子局ＩＤ候補のデータをスイッチＳＷ１〜ＳＷｋの番号に対応付けて記述したデータからなる。そして、制御部１３はステップ４ｄにより、上記受信された変更データに従い、上記ＩＤ設定テーブル１４ａに記憶されている子局ＩＤ候補を書き換える。かくして、ＩＤ設定テーブル１４ａに記憶されている子局ＩＤ候補のリモート変更がなされる。なお、このリモート変更では、すべての子局ＩＤ候補を一括変更することも、また一部の子局ＩＤ候補を変更することも可能である。
【００２９】
一方、上記ＩＤ変更モードが設定されると制御部１３は認証モードを設定する。この状態で、所有者がＩＤ設定スイッチユニット１７の各スイッチＳＷ１〜ＳＷｋを所定の組み合わせで操作して認証コードを入力すると、制御部１３はステップ４ｅでこの入力された認証コードを認識し、ステップ４ｆにより上記認識された認証コードを予め登録してある基本認証コードと照合する。そして両コードが一致すると、上記変更入力操作は正当であると判断してステップ４ｇからステップ４ｈに移行し、ここでスイッチＳＷ１〜ＳＷｋの操作を検出する。
【００３０】
この状態で、所有者がスイッチＳＷ１〜ＳＷｋのうち、事前に電話連絡等によりシステム管理者から通知されたスイッチを操作したとする。そうすると、当該操作されたスイッチをステップ４ｉにより認識してステップ４ｊに移行し、ここでＩＤ設定テーブル１４ａに記憶されている対応する子局ＩＤ候補のフラグを「有効」（ＯＮ）とし、かつそれまで「有効」（ＯＮ）に設定されていたフラグを「無効」（ＯＦＦ）とする。例えば、いま仮に所有者がスイッチＳＷ２を押下したとすると、図３に示すように、このスイッチＳＷ２に対応する子局ＩＤ候補ＩＤ２に対応するフラグを「有効」（ＯＮ）とし、これに対しそれまで「有効」（ＯＮ）に設定されていた子局ＩＤ候補ＩＤ１に対応するフラグを「無効」（ＯＦＦ）にする。
【００３１】
そして、ステップ４ｋにより変更結果を表すメッセージを生成し、この生成されたメッセージの合成音声をスピーカ１６から通話レベルで出力する。一方、上記認証の結果、変更入力操作の正当性が確認されなかった場合には、制御部１３はステップ４ｍにより不可メッセージを生成して、このメッセージの合成音声をスピーカ１６から通話レベルで出力する。なお、戸別受信機にＬＣＤまたはＬＥＤを使用した表示部が設けられている場合には、上記変更結果を表すメッセージ及び不可メッセージの表示データを生成し、この表示データを上記表示部に表示させるようにしてもよい。  
かくして、戸別受信機ＧＳ１〜ＧＳｎの所有者自身による子局ＩＤの変更がなされる。
【００３２】
以上述べたようにこの実施形態では、戸別受信機ＧＳ１〜ＧＳｎに複数のスイッチＳＷ１〜ＳＷｋを有するＩＤ設定スイッチユニット１７を設けると共に、上記スイッチＳＷ１〜ＳＷｋの各々に対応付けて異なる子局ＩＤ候補ＩＤ１〜ＩＤｋを記憶したＩＤ設定テーブル１４ａを設ける。そして、ＩＤ変更モードにおいて上記スイッチＳＷ１〜ＳＷｋのいずれかが操作された場合に、この操作されたスイッチに対応する子局ＩＤ候補のフラグを「有効」（ＯＮ）とし、それまで「有効」（ＯＮ）に設定されていたフラグを「無効」（ＯＦＦ）にするようにしている。
【００３３】
したがって、ある戸別受信機において子局ＩＤの変更が必要となった場合に、当該戸別受信機においてその所有者が新たに設定すべき子局ＩＤ候補に対応するスイッチを操作するだけで、子局ＩＤの更新がなされる。このため、システム管理者が逐一、戸別受信機が設置されている住民宅へ出向く必要はなくなり、これによりシステム管理者の作業負担は大幅に軽減され、かつ変更に要する時間も短縮される。また、スイッチＳＷ１〜ＳＷｋを操作するだけで変更を行えるので、戸別受信機の取り扱いに不慣れな所有者であっても操作を誤ることなく簡単かつ確実に変更することができる。
【００３４】
またこの実施形態では、ＩＤ変更モードが設定された状態で、親局ＢＳから子局ＩＤ候補の変更要求が到来した場合に、当該変更要求に続いて親局ＢＳから到来する変更データを受信する。そして、受信された変更データに従い、ＩＤ設定テーブル１４ａに記憶されている子局ＩＤ候補を書き換えるようにしている。このため、ＩＤ設定テーブル１４ａに記憶されている子局ＩＤ候補それ自体を変更する必要が生じた場合でも、システム管理者が戸別受信機が設置されている住民宅へ出向くことなく、親局ＢＳからの遠隔制御により子局ＩＤ候補の変更が可能となる。この結果、変更作業の効率を高めることができる。
【００３５】
さらにこの実施形態の戸別受信機は認証機能を備えている。すなわち、所有者がＩＤ設定スイッチユニット１７の各スイッチＳＷ１〜ＳＷｋを所定の組み合わせで操作して認証コードを入力した場合に、制御部１３がこの入力された認証コードを予め登録してある基本認証コードと照合し、両コードが一致した場合に以降の子局ＩＤの変更操作を受け付けるようにしている。
【００３６】
したがって、戸別受信機ＧＳ１〜ＧＳｎの所有者またはその同居人が誤ってＩＤ設定スイッチユニット１７の各スイッチＳＷ１〜ＳＷｋを操作してしまった場合や、他人が故意にスイッチＳＷ１〜ＳＷｋを操作した場合でも、子局ＩＤが変更されないようにすることができる。しかも、認証コードをＩＤ設定スイッチユニット１７の各スイッチＳＷ１〜ＳＷｋの組み合わせ操作により入力するようにしているので、認証コードの入力手段を他に設ける必要がなく、戸別受信機ＧＳ１〜ＧＳｎの大型化及びコストアップを抑えることができる。
【００３７】
なお、この発明は上記実施形態に限定されるものではない。例えば、前記実施形態ではこの発明を戸別受信機ＧＳ１〜ＧＳｎに適用した場合を例にとって説明したが、屋外型の子局ＦＳ１〜ＦＳｍにも同様に適用可能である。屋外型の子局ＦＳ１〜ＦＳｍに適用した場合、当該子局ＦＳ１〜ＦＳｍの無線装置５は双方向通信機能を備えているので、子局ＩＤの変更後に変更設定された子局ＩＤを上りチャネルを使用して親局ＢＳに通知するとよい。このようにするとシステム管理者は、親局ＢＳにおいて屋外型の子局ＦＳ１〜ＦＳｍにおける子局ＩＤの変更結果を確認することができる。
【００３８】
また、前記実施形態では認証機能を持たせることにより子局ＩＤの誤変更等を防止するようにした。しかし、それに限定されるものではなく、親局ＢＳから子局ＩＤの変更対象となる戸別受信機ＧＳ１〜ＧＳｎに対し子局ＩＤの変更期間を規定する制御データを送り、戸別受信機ＧＳ１〜ＧＳｎは上記規定された子局ＩＤ変更期間に限りスイッチＳＷ１〜ＳＷｋの操作を受け付けるようにしてもよい。
【００３９】
さらに、戸別受信機ＧＳ１〜ＧＳｎに、通信ネットワークに接続可能なパーソナル・コンピュータ或いは携帯端末を接続し、戸別受信機ＧＳ１〜ＧＳｎにおいて子局ＩＤの変更が行われた場合にその変更結果を表す報告データを、上記パーソナル・コンピュータ或いは携帯端末から通信ネットワークを介して親局ＢＳへ送信するようにしてもよい。このようにすると、送信機能を持たない戸別受信機ＧＳ１〜ＧＳｎであっても、システム管理者は親局ＢＳにおいて子局ＩＤの変更結果を確認することが可能となる。
【００４０】
また、前記実施形態では、呼出判定機能１３ａ、通報受信出力制御機能１３ｂ、第１のＩＤ変更制御機能１３ｃ、第２のＩＤ変更制御機能１３ｄ及び認証機能１３ｅをいずれも、アプリケーション・プログラムの実行により実現する場合を例にとって説明したが、これらの機能のすべて或いは一部をハードウエアにより実現するように構成してもよい。
【００４１】
その他、ディジタル同報通信システム及びその子局の構成、スイッチの種類やその数、子局ＩＤの変更制御手順と制御内容等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４２】
【図１】この発明に係わるディジタル同報通信システムの一実施形態を示す概略構成図。
【図２】図１に示したシステムで使用される戸別受信機の機能構成を示すブロック図。
【図３】図２に示した戸別受信機に設けられるＩＤ設定テーブルの構成の一例を示す図。
【図４】図２に示した戸別受信機による子局ＩＤ変更制御の手順と内容を示すフローチャート。
【符号の説明】
【００４３】
ＢＳ…親局、ＲＳ…中継局、ＦＳ１〜ＦＳｍ…屋外型通信装置、ＧＳ１〜ＧＳｎ…戸別型通信装置（戸別受信機）、１…操作卓、２…親局無線装置、３，４…中継無線装置、５…屋外無線装置、６…屋外拡声装置、１１…アンテナ、１２…受信回路（ＲＸ）、１３…制御部、１３ａ…呼出判定機能、１３ｂ…通報受信出力制御機能、１３ｃ…第１のＩＤ変更制御機能、１３ｄ…第２のＩＤ変更制御機能、１３ｅ…認証機能、１４…記憶部、１４ａ…ＩＤ設定テーブル、１５…スピーカ駆動回路、１６…スピーカ、１７…ＩＤ設定スイッチユニット、１８…モード設定スイッチ。
【図１】
2006074470.tif 000003
【図２】
2006074470.tif 000004
【図３】
2006074470.tif 000005
【図４】
2006074470.tif 000006